(57)【要約】【課題】  コンクリート製の堤の上部に透明板が連続的に配置された防潮壁であり、新設の防潮壁、または既設のものを嵩上げした防潮壁として、低コストで容易に構成され得るものを提供する。【解決手段】  コンクリート製の堤２の上部に、四辺形状の複数の透明樹脂板１０を連続的に配置する。透明樹脂板１０は、上記堤２の上部に設けられた溝３に下方縁部１０ａのみを挿入し、その溝１０ａの内側に拘束することによって支える。溝３の内側に、横断面形状が略Ｕ字状の金属枠体２０をはめ、その金属枠体２０の内側に透明樹脂板１０の下方縁部１０ａを挿入し、透明樹脂板１０と金属枠体２０の内側面との隙間に、面間の寸法を増大させることにより透明樹脂板１０の縁部１０ａを当該隙間の内側に拘束する拘束手段３０を設ける。【選択図】      図１
2019031809.tif 000002
【特許請求の範囲】
【請求項１】
コンクリート製の堤の上部に、四辺形状の複数の透明板が、それぞれ隣接する他の透明板と端部を突き合わせて連続的に配置された防潮壁であって、
他の二つの透明板の間に配置された透明板が、上記堤の上部に設けられた溝に下方縁部のみを挿入し、その溝の内側に拘束されることによって支持されていることを特徴とする防潮壁。
【請求項２】
上記の溝の内側に、横断面形状が略Ｕ字状の金属枠体がはめ込まれ、その金属枠体の内側に上記透明板の下方縁部が挿入されていて、上記透明板と上記金属枠体の内側面との隙間に、面間の寸法を増大させることにより上記透明板の縁部を当該隙間の内側に拘束する拘束手段が設けられていることを特徴とする請求項１に記載の防潮壁。
【請求項３】
上記の金属枠体が、横断面形状がＬ字状の金属板を重ね合わせられることにより略Ｕ字状の横断面形状にされたものであることを特徴とする請求項２に記載の防潮壁。
【請求項４】
上記の拘束手段が、上記透明板の下方縁部のうち水の側を向いた面と上記枠体の内側面との間に設けられていることを特徴とする請求項２または３に記載の防潮壁。
【請求項５】
上記の溝が、上記の堤と同一のコンクリートで形成された外溝部の内側に、別のコンクリートまたはモルタルで当該外溝部と上記金属枠体との隙間を埋めた充填部を有することにより形成されていることを特徴とする請求項２〜４のいずれかに記載の防潮壁。
【請求項６】
上記の拘束手段が、水膨張ゴムのシートであることを特徴とする請求項２〜５のいずれかに記載の防潮壁。
【請求項７】
上記堤の上部に設けられた溝に挿入された上記透明板の下方縁部が、その溝の内側面と透明板との間に膨潤材が充填されることにより、その溝の内側に拘束されていることを特徴とする請求項１に記載の防潮壁。
【請求項８】
上記透明板がアクリル板であり、上記堤の上の突出高さが５００ｍｍまでであり、その厚さが５０ｍｍ以上であり、上記溝の内側に下方縁部が７０ｍｍ以上の深さまで挿入されていることを特徴とする請求項１〜７に記載の防潮壁。
【発明の詳細な説明】
【技術分野】
【０００１】
請求項に係る発明は、コンクリート製の堤の上部に透明板（透明な樹脂板またはガラス板）が配置された防潮壁（淡水用の防水壁を含む）に関するものである。
【背景技術】
【０００２】
高潮や洪水等で浸水のおそれがある地域では、海や川に防潮壁を築いて水の浸入等を防止することが広く行われている。防潮壁は、一般的にはコンクリート等で形成されるが、コンクリートのみだと景観にすぐれないうえ、水位の上昇時等にも、防潮壁を通して海や河川等の様子を知ることができない。そこで、下記の特許文献１では、アクリル等の透明板を一部に使用する防潮壁が提案されている。
【０００３】
特許文献１には、図９（ａ）（ｂ）（ｃ）に示す防潮壁等が記載されている。その防潮壁１’では、コンクリート製の堤２’の上部に図（ｂ）（ｃ）のように溝形の枠体２０’を埋め込み、その枠体２０’の内側に透明板１０’の縁部を挿入している。透明板１０’は、枠体２０’の内側に挿入することにより交換が容易になる。枠体２０’と透明板１０’との間には、たとえばネジによって長さを変更できる構造の拘束手段３０’を配置し、それにより枠体２０’と透明板１０’とを固定している。
透明板１０’は一般に四辺形状のもので、特許文献１では図９（ａ）のように、最上辺を除く３辺を上記の枠体２０’内に挿入することにより、コンクリート製の堤２’の上部に取り付けている。同文献１にはまた、同様の枠体内に全周（４辺）を挿入した状態の透明板を、コンクリート製の堤の中ほど（全周をコンクリートに囲まれる位置）に設ける例も示されている。
【先行技術文献】
【特許文献】
【０００４】
【特許文献１】特開２０１０−２６５７４４号公報
【発明の概要】
【発明が解決しようとする課題】
【０００５】
防潮壁に透明板を設けると、陸側から海や河川、湖沼等を眺めることができ、景観面できわめて好ましい。また、高潮や洪水等によって水位が上昇したとき防潮壁を通して海や河川等の様子を知ることができ、警戒のレベルを把握したり避難準備をしたりすることが容易であるなど、安全面でも有利である。そのため、特許文献１に記載の防潮壁は、景観の点でも安全性の点でも好ましいといえる。
【０００６】
しかし特許文献１の例は、主として、四辺形状の透明板を、最上辺を除く３辺または全周の４辺を、上記の枠体を介しコンクリート製の堤に支持させる形式のものである。そのため、既設の防潮壁において最上部に透明板のみを追加して設けることにより防潮壁を嵩上げする工事には、採用することが難しい。取り付けるそれぞれの透明板の左右側方または四方にコンクリートの壁（図９の例における符号２ａ’の部分）を設けることが前提だからである。
特許文献１には、透明板を枠体内に入れてコンクリートの堤の上面に載せ、枠体をアンカーボルトで留めるとともに支柱で支えることにより、堤の上部に透明板を連続的に並べて配置する例も示されている。しかし、アンカーボルトと支柱によって透明板を十分な強度で支持することは必ずしも容易でなく、相当のコストを要するため、現実的には防潮壁の嵩上げ工事に適していると言いがたい。
【０００７】
本件発明の目的は、コンクリート製の堤の上部に透明板が連続的に配置された防潮壁であって、新設の防潮壁、または既設のものを嵩上げした防潮壁として、低コストで容易に構成され得るものを提供することである。
【課題を解決するための手段】
【０００８】
発明による防潮壁（防水壁を含む。以下も同様）は、コンクリート製の堤の上部に、四辺形状の複数の透明板（樹脂板、ガラス板を含む。半透明のものも含む）が、それぞれ隣接する他の透明板と端部（左右側方の端部）を突き合わせて（したがって、隣接する透明板の間にコンクリート壁や支柱がない状態に）連続的に配置された防潮壁であって、他の二つの透明板の間に配置された透明板が、上記堤の上部に設けられた溝に下方縁部（透明板の最下辺にある外周縁とその近傍）のみを挿入し、その溝の内側に拘束されることにより支持されていることを特徴とする。
発明の一例を、図１（ａ）（ｂ）に示している。上記した「他の二つの透明板の間に配置された透明板」とは、図１（ａ）に示す透明板１０をさし、連続的配置の起点にあたる図示両端の透明板１１（下方縁部とともに側方の他の縁部をも堤の溝に挿入して固定されている）を除いたものである。
なお、樹脂製の透明板としては、ポリスチレン樹脂、ポリ塩化ビニル樹脂、アクリロニトリルースチレン共重合樹脂、メタクリル酸メチルースチレン共重合樹脂、アクリロニトリルーブタジエン共重合樹脂、ポリカーボネート樹脂およびアクリル樹脂から選ばれる熱可塑性樹脂等を使用できる。樹脂板に代えてガラス板（強化ガラス板等）を使用してもよい。樹脂板またはガラス板が複数枚積層されてできた透明板や、積層された板の間に強化用のメッシュ（網）がはさまれている板も、使用可能である。
【０００９】
上記の構成を有する防潮壁は、構造がシンプルであるため、短期間の工事によって低コストで構成される。とくに多数の透明板が連続して長い区間に配置される場合には、上記のように堤の溝に下方縁部のみを挿入し拘束されて支持される透明板の数が多いため、構造の簡単化によるメリットが大きい。また、透明板の間にコンクリート壁や支柱がないので、外観上とくに有利である。
透明板が連続する区間の外側にコンクリートの壁（図１（ａ）における符号２ａの部分）を設けずに、既設のコンクリート壁の上部に透明板のみを連続して配置する嵩上げ工事において上記の構成を採用することも可能である。その場合、嵩上げ工事はとくに簡単化され低コストで施工される。
【００１０】
上記発明の防潮壁において、上記の溝の内側に、横断面形状が略Ｕ字状の（つまり上部が開いた溝形の）金属枠体がはめ込まれ、その枠体の内側に上記透明板の下方縁部が挿入されていて、上記透明板と上記枠体の内側面（の少なくとも一方）との隙間に、面間の寸法を増大させることにより上記透明板の縁部を当該隙間の内側に拘束する拘束手段が設けられているとよい。
そのようにした例を図３（ａ）に示す。「面間の寸法を増大させることにより上記透明板の縁部を当該隙間の内側に拘束する拘束手段」としては、図中に例示するネジ式のジャッキのようなもののほか、流体圧を使用するジャッキ類、くさび（ウェッジ）、または各種の膨張材料を使用することができる。
【００１１】
コンクリート製の堤に形成された溝の内側に透明板の下方縁部を直接に挿入するとすれば、平坦度が高くないコンクリート製の溝の内側に一部が強く接触することによって透明板が割れやすい状況になる。しかし、上記のように、溝の内側に略Ｕ字状の横断面をもつ金属枠体をはめ込み、その内側に透明板の下方縁部を挿入すると、透明板は、コンクリートと直接の接触をせず接触圧力が均一化するため損傷しがたくなる。また、上記のとおり拘束手段を設けるに関しても、拘束手段にはたらく力が直接にはコンクリートに作用しないため、局部的に面圧が高くなってコンクリートが破損するような事態が避けられる。
【００１２】
上記のように使用する金属枠体が、横断面形状がＬ字状の金属板を重ね合わせることにより略Ｕ字状の横断面形状にされたものであると、とくに好ましい。
上記で紹介した図３（ａ）例でも、横断面形状が略Ｕ字状の金属枠体２０は、横断面形状がＬ字状の金属板２１・２２を重ね合わせることにより形成している。
【００１３】
上述のように、堤の溝に下方縁部のみを挿入することによって透明板を支持する場合、他の縁部をも同時に溝に挿入する場合等に比べると、強度面の配慮から、溝への縁部の挿入深さを大きくする必要がある。図３の例でも、透明板は、特許文献１に記載された図９の例に比べて深く挿入している。
挿入深さが大きい場合に、上記した略Ｕ字状の横断面をもつ金属枠体を使用するためには、当然ながら、深いＵ字状の窪みを金属枠体に形成する必要がある。しかし、強度面で有利であり低コストでもある鋼板等によってその金属枠体を形成するとなると、十分な深さの窪みをもつ金属枠体を、１枚の板からプレス加工等にて製造することは容易でなく、コストアップにつながる。
その点、上記のように、Ｌ字状の金属板（鋼板等）を重ね合わせることによって略Ｕ字状の横断面形状をもつ金属枠体を形成するなら、その製造は容易でありコスト面で有利である。重ね合わせたＬ字状の金属板同士を溶接したりボルトナット等で連結したりする必要はないため、接合のためのコストがさらに必要になるわけでもない。
【００１４】
上記の拘束手段が、上記透明板の下方縁部のうち水の側を向いた面と上記枠体の内側面（透明板よりも水の側にあって陸の側を向いた面）との間に設けられていると好ましい。
図３に示した例でも、透明板のうち水の側（図の右側）を向いた面と上記枠体の内側面との間に拘束手段３０が配置されている。拘束手段の構造等（透明板との接触面積等）によっては、透明板と拘束手段との間に、金属等による硬質のライナー（図３の符号２４）をはさんで接触圧力を分散させるとよい。また、透明板のうち陸の側を向いた面は、図３のように金属枠体の内側面に直接に接触させ、またはライナー等をはさんで金属枠体に押し付けるとよい。
【００１５】
上のようにすると、水位が上昇して透明板に水圧が作用したとき、透明板よりも水の側にある拘束手段に直接にはその力が作用しない。そのため、拘束手段がどのような形状・構造のものであっても、それに過大な力が集中することがなく、したがって、拘束手段が破壊したり、それに起因して透明板が脱落したり損傷したりすることが防止される。
【００１６】
上記の防潮壁において、上記の溝は、上記の堤と同一のコンクリートで形成された外溝部の内側に、別のコンクリートまたはモルタルで当該外溝部と上記金属枠体との隙間を埋めた充填部を有することにより形成されているのが好ましい。
図３の例において、上記の「充填部」は符号５の部分である。図では、堤と同一のコンクリートで形成された外溝部４の内側に、堤とは別のコンクリートまたはモルタルにてなる充填部５がある。外溝部４と充填部５とによってなる溝３の内側に金属枠体２０が埋設されている。
【００１７】
コンクリート製の堤の上部に溝を形成し、その溝の内側に上記の金属枠体を直接はめ入れるとすると、溝と金属枠体とが広い面積で均一に接触することは期待できない。溝と金属枠体との寸法を正確に合わせることも、コンクリートの溝の内面を十分に平坦に形成することも難しいからである。両者の接触が均一でない状態だと、透明板が金属枠体とともに傾いたり、水圧を受けたとき局部的に高い応力が発生して透明板が破損したりすることが考えられる。
しかし、コンクリートで形成された上記外溝部の内側に別のコンクリートまたはモルタルが詰められた充填部があり、外溝部と金属枠体との隙間をその充填部が埋めた状態であるなら、そのような不都合を回避でき、透明板を適切な状態に拘束して固定することができる。なお、外溝部と金属枠体との隙間を充填部が埋めた上記の状態は、外溝部の内側に金属枠体を挿入する際、同時に外溝部と金属枠体との隙間にコンクリート等を打設充填すれば実現できる。
【００１８】
上記の拘束手段が、水膨張ゴムのシートであるのも好ましい。水膨張ゴムとは、水に接触すると膨張し、膨張した状態を維持するゴムである。たとえば、王子ゴム化成株式会社製の「アクアケル」（登録商標）や、ＣＲＫ株式会社製の「ベストシールＥＷ」を使用できる。
そのようなゴムを、拘束手段として透明板とともに金属枠体の内側に入れると、その金属枠体内に水を注入することにより当該ゴムが膨張し、金属枠体の溝の中に透明板を拘束し固定することができる。
【００１９】
堤の上部に設けられた上記の溝に挿入された上記透明板の下方縁部が、その溝の内側面と透明板との間に膨潤材（上記した水膨張ゴムも膨潤材の一つである）が充填されることにより、その溝の内側に拘束されているのもよい。この場合、上記の金属枠体は使用しない。モルタル等による上記の充填部を設ける必要もない。
上記膨潤材には先に示した水膨張ゴムも含まれ、例示した各種水膨張ゴムを使用することもできるが、ほかにも、日本リステン株式会社製のウレタン系シーラントである「リステンシールＤ−５１」、または膨潤性の粘土「リステン粘土」（いずれも吸水して膨張する）等を膨潤材として使用できる。
使用する膨潤材の体積膨張率が十分に大きければ、膨潤材が、コンクリートの溝の内側に密に接し、かつ、透明板の下方縁部にも密着することによって、当該透明板を拘束することができる。透明板の下方縁部に及ぼす圧力も概ね均一となり、局所的に大きな圧力が作用することもないので、好ましい状態に透明板を拘束できる。膨潤材が膨潤した際に透明板が傾くこと等があるなら、それを修正するためにくさび状の調整具等を併せて使用するとよい。
【００２０】
上記透明板がアクリル板であり、上記堤の上の突出高さが５００ｍｍまでであり、その厚さが５０ｍｍ以上（望ましくは６０ｍｍ以上）であり、上記溝の内側に下方縁部が７０ｍｍ以上（望ましくは１２０ｍｍ以上）の深さまで挿入されているのがよい。
透明板の下方縁部のみを拘束する上記発明の防潮壁においては、水位が透明板の上部に達したときにもその透明板やコンクリートが破損しないことが求められる。上記発明に基づいてコンクリートの堤の上に突出高さが５００ｍｍまでのアクリル製透明板の防潮部分を設けるとき、発明者らの強度解析（図６〜図８を参照）によれば、透明板に関する寸法関係を上記のとおり設定すれば、透明板もコンクリートも破損することなく防潮機能を発揮すると考えられる。
【発明の効果】
【００２１】
発明の防潮壁は、構造がシンプルであるため、新設することにより、または既設の防潮壁に透明板部分を嵩上げすることにより、コンクリート製の堤の上部に透明板が連続的に配置されたものとして低コストで容易に構成される。透明板を含むことから、陸側から海や河川、湖沼等を眺めることができ、また透明板の間にコンクリート壁や支柱を含まないので、景観と安全性にとくにすぐれている。河川岸や海浜等の遊歩道用、海浜道路の防風・防しぶき用のものとしても適している。
上記透明板の下方縁部を上記堤の上部の溝に挿入し拘束するに関し、挿入の形態や付属物、溝の構成等を工夫すれば、コストを抑制できるほか、透明板やコンクリート（堤）等に作用する力を適切に分散させ均一化することができ、上記の拘束状態を好ましくするとともに、透明板やコンクリートを破損しがたい状態に保つことができる。
【図面の簡単な説明】
【００２２】
【図１】発明の一実施形態を示した図で、防潮壁１の正面図（図１（ａ））および横断面図（同（ｂ））である。
【図２】上記防潮壁１の要部を示す平面図（図２（ａ））および正面図（同（ｂ））である。
【図３】防潮壁１のコンクリート堤２における透明樹脂板１０の支持状態を示す横断面図（図３（ａ））と、図２（ｂ）におけるｂ−ｂ断面図（図３（ｂ））およびｃ−ｃ断面図（図３（ｃ））である。
【図４】防潮壁１で使用する金属枠体２０を示す横断面図である。図４（ａ）（ｂ）のそれぞれは、互いに異なる部位での横断面図であり、同（ｃ）は、同（ｂ）の金属枠体２０に各種付属品を取り付けた状態の横断面図である。
【図５】図４（ｃ）の状態にしてコンクリート堤２に埋設した金属枠体２０と、その内側に下方縁部１０ａを挿入し拘束した状態の透明樹脂板１０とを併せて示す水平断面図（図５（ａ））、およびｂ−ｂでの横断面図（同（ｂ））である
【図６】上記防潮壁１における透明樹脂板１０と、それに作用する水の荷重ｐとを示す模式図である。
【図７】図６のモデルに関して行ったＦＥＭ解析の結果である応力コンター図（図７（ａ））および変形図（同（ｂ））である。
【図８】透明樹脂板１０に曲げモーメントＭが作用するときコンクリート堤２に生じる応力σを求めるためのモデル図である。
【図９】従来の（特許文献１に記載の）防潮壁を示す正面図（図９（ａ））、ｂ−ｂ断面図（同（ｂ））およびｃ部詳細図（同（ｃ）である。
【発明を実施するための形態】
【００２３】
図１〜図８に発明の一実施形態を示す。
まず図１は、防潮壁１の概要を示す正面図（図１（ａ））および横断面図（同（ｂ））である。海岸または河岸に沿ってコンクリートの堤２が連続して形成され、その上部に樹脂製の透明板すなわち透明樹脂板１０・１１が設けられている。透明樹脂板１０・１１は四辺形状のアクリル板であり、隣接する透明樹脂板１０・１１に対し互いの端部を突き合わせて、岸に沿って側方へ連続的に配置されている。なお、図中、白抜き矢印は洪水等の際の水流の向きをさしており（他の図でも同様）、図１（ｂ）では図示右側が水側、左側が陸側である。
【００２４】
連続配置された複数の透明樹脂板１０・１１のうち、中ほどに位置する（つまり両側に他の透明樹脂板が配置された）透明樹脂板１０は、上記の堤２の上部に形成された溝３に下方縁部１０ａを挿入し、そこで縁部１０ａを拘束されることのみにて固定されている。連続する区間の外側には、透明樹脂板１０・１１の上端の高さにまでコンクリートの壁２ａがあるため、最も端に位置する透明樹脂板１１については、下方縁部とともに左右いずれか側方の縁部をも溝３に挿入した状態で固定されている。
【００２５】
堤２の上部で透明樹脂板１０・１１が連続する形態の詳細を、図２（ａ）（ｂ）および図３（ｂ）（ｃ）に示している。透明樹脂板１０同士、または樹脂板１０と１１とが隣接する突き合わせの部分には、図３（ｃ）のように間にスポンジゴム１２をはさんだうえ、外側両面をつなぎのシール材１３で覆っている。また、その突き合わせ部分の上端には、逆Ｕ字形状の横断面をもつ金属製のつなぎカバー１４を被せている。
【００２６】
図３（ａ）に、透明樹脂板１０（透明樹脂板１１でも同様）と、その下方縁部１０ａが挿入された堤２上の溝３についての横断面図を示す。堤２のコンクリートの上部に、上端が開放された矩形断面の外溝部４が形成されていて、その内側にモルタルの充填部５があり、その充填部５に接するように、略Ｕ字形状をした炭素鋼板製の金属枠体２０が埋め込まれている。溝３は、このように外溝部４と充填部５、および金属枠体２０とによって形成されているといえる。外溝部４と充填部５との間、また充填部５と金属枠体２０との間は、後述のとおり隙間なく接している。
【００２７】
そして金属枠体２０の内側に、透明樹脂板１０の下方縁部１０ａが挿入され拘束されている。当該拘束のためには、透明樹脂板１０（の下方縁部１０ａ）の陸側の面を金属枠体２０に押し付けるとともに、水側の面には鋼板製のライナー２４を当てたうえ、金属枠体２０との間に拘束手段３０を取り付けている。拘束手段３０は、金属枠体２０等の長さ方向に一定の間隔をおいて複数個取り付けている。
【００２８】
ここで使用した拘束手段３０は、ネジ式のジャッキ用具のようなもので、ライナー２４と金属枠体２０とのそれぞれに互いに逆ネジのナット（雌ネジ部材）を溶接等で取り付けるとともに、互いに逆ネジの雄ネジを両側に有するボルトを上記双方のナットにはめたものである。上記のボルトをスパナ等で回転させると、二つのナットの間隔が広がるため、ライナー２４により透明樹脂板１０を金属枠体２０の陸側に押し付けることとなり、透明樹脂板１０を拘束することができる。
【００２９】
金属枠体２０の詳細を図４に示す。上記の金属枠体２０は、図４（ａ）に示すとおり、横断面形状がＬ字状の２枚の金属板２１・２２を底辺部分で重ね合わせることにより略Ｕ字状の横断面形状にしたものである。２枚の金属板２１・２２は溶接等で一体にしてもよいが、一体にしなくてもよい。
図４（ｂ）は、金属枠体２０について、同（ａ）とは異なる部位での横断面を示す図である。つまり、金属枠体２０の金属板２１・２２には、長さ方向に間隔をおいて、図示のようにナット（雌ネジ部材）２１ａ・２１ｃ・３０ａおよび２２ａ・２２ｃを溶接にてそれぞれ取り付けている。ナット３０ａは、上記した拘束手段３０として使用する一部品である。
図４（ｃ）の金属枠体２０は、同（ａ）（ｂ）のように構成したうえ、さらにボルトやライナー等を取り付けたものである。すなわち、上記のナット２１ａ・２１ｃおよび２２ａ・２２ｃに、それぞれボルト２１ｂ・２１ｄおよび２２ｂ・２２ｄを通し、また底辺部分の上に透明樹脂板１０の設置用弾性シート２３を置き、ナット３０ａに上記の拘束手段３０を組み付けるとともにライナー２４を取り付ける。ライナー２４と金属板２２との各内側面（透明樹脂板１０と接する面）には低摩擦テープ２５を貼り付ける。
【００３０】
金属枠体２０に図４（ｃ）のとおりボルト２１ｂ等を取り付けるのは、コンクリート堤２の溝３の中に適切に位置を定めて金属枠体２０を埋設するためである。つまり、図５（ｂ）のように、1)あらかじめ形成された外溝部４の内側に金属枠体２０を挿入し、2)外溝部４の内側において、ボルト２１ｂ・２１ｄ・２２ｂ・２２ｄを、それぞれの螺合するナットに対し適宜に回転させて突出量調整することにより、外溝部４内の適切な位置に金属枠体２０を設置し、3)そのうえで、外溝部４の内側であって金属枠体２０の外側に、充填部５のモルタルを流し込み、養生をして固化させる。そうすることにより、金属枠体２０を適切な位置に埋め込むことができる。また、外溝部４と充填部５との間、および充填部５と金属枠体２０との間を、隙間のないようにすることができる。
【００３１】
透明樹脂板１０の下方縁部１０ａは、上記のように埋め込まれた金属枠体２０内の、上記低摩擦テープ２５の間に挿入する。その後、図５（ａ）のように間隔をおいて複数設けられた拘束手段３０を操作することにより、当該下方縁部１０ａを拘束し固定する。そして図５（ｂ）のように、拘束手段３０の上方で、金属枠体２０と透明樹脂板１０との間をシール材２６で塞いでおく。
なお、連続する区間の端に設ける透明樹脂板１１については、下方縁部だけでなく側方の縁部についても同様に金属枠体２０内に挿入して拘束手段により拘束し固定する。
以上によって、図１のように、コンクリート堤２の上部に連続して透明樹脂板１０を配置した防潮壁１が構成できる。図１では、側方の縁部をも堤２で支持する透明樹脂板１１を連続区間の端部に設けているが、それを設けない、したがって下方縁部だけを堤２の溝３に挿入して固定する透明樹脂板１０ばかりが連続的に配置されたの防潮壁も、以上のものと同様に構成することができる。
【００３２】
透明樹脂板１０の機械的強度についての検討事項を以下に示す。透明樹脂板１０のそれぞれとして高さ（埋め込まれる下方縁部１０ａを除く高さ）が500mm、長さが2000mmのアクリル板を使用するものとし、有限要素法（ＦＥＭ）による強度解析（節点数451、要素数400）を行った。アクリル板（透明樹脂板１０）の厚さについては、36.5mmと46.5mmとの２ケースを検討した。
アクリル板の特性を表１に示す。
【表１】
2019031809.tif 000003
【００３３】
図６は、高潮等の際に水から透明樹脂板１０に作用すると想定した台形状の分布荷重ｐを示している。境界条件としては、下端の１辺を固定したこととしている。
上記解析の結果を、図７および表２に示す。図７（ａ）（ｂ）のそれぞれは、アクリル板の厚さを46.5mmとした場合の応力コンター図および変形図である。また、表２において「解析結果」に示した応力は、図７に示される最も応力の高い部分（アクリル板の下端部）での応力値を示している。
【表２】
2019031809.tif 000004
【００３４】
上記の結果から、アクリル板の厚さが36.5mmでは必要強度を満たさず、46.5mmであれば満たすことが分かる。多少の余裕をもたせて厚さは50mm、またはさらに裕度を付加して60mmとするのが好ましい。
【００３５】
堤２のコンクリート内への透明樹脂板１０（アクリル板）の埋め込み深さについては、以下のように検討した。
図６のように水からの荷重ｐが透明樹脂板１０に作用するとき、透明樹脂板１０には、3.964kNm/mのモーメント（杭頭モーメント）Ｍが発生する。桟橋の杭頭モーメントに対する必要埋込長の計算は、杭（透明樹脂板１０）の側方のコンクリートの幅（図８の寸法Ｂ）が十分に大きいとき、図８に示すモデルについて下記の計算（数１）を行うことにより求められる。
【数１】
2019031809.tif 000005
ここで、Ｍ＝3.964kNm/m、Ｄ＝1.00m（本設計では奥行き）、σ＝5400kN/m2  であることから、
Ｌ＝0.066m
すなわち透明樹脂板１０の必要な埋め込み深さは約70mmと求められる。余裕をもたせて120mm程度にするのがよい。
【００３６】
以上の点から、アクリル製の透明樹脂板１０（の下方縁部１０ａ）をコンクリート堤２の溝３に挿入し、堤２の上に５００ｍｍの高さまで突出させる場合、アクリル板の厚さを５０ｍｍ以上（望ましくは６０ｍｍ以上）とし、溝３の内側に下方縁部１０ａを７０ｍｍ以上（望ましくは１２０ｍｍ以上）の深さまで挿入するのが、強度の点で好ましいといえる。
なお、堤２の上へのアクリル板の突出高さを増す場合には、アクリル板をさらに厚くするとともに、下方縁部１０ａの埋め込みをさらに深くする必要がある。発明者らの検討結果によると、突出高さを１０００ｍｍにする場合、アクリル板の厚さと埋め込み深さを３２０ｍｍかそれ以上にするのが好ましい。
【符号の説明】
【００３７】
１  防潮壁
２  コンクリート堤
３  溝
４  外溝部
５  充填部
１０・１１  透明樹脂板（透明板）
１０ａ  下方縁部
２０  金属枠体
２１・２２  金属板
２４  ライナー
３０  拘束手段
【図１】
2019031809.tif 000006
【図２】
2019031809.tif 000007
【図３】
2019031809.tif 000008
【図４】
2019031809.tif 000009
【図５】
2019031809.tif 000010
【図６】
2019031809.tif 000011
【図７】
2019031809.tif 000012
【図８】
2019031809.tif 000013
【図９】
2019031809.tif 000014